(57)【特許請求の範囲】
【請求項１】
定着部およびジャム解除カバーが装置本体から引き出し且つ収容可能に設けられ、引き出した状態で前記ジャム解除カバーを開いてジャム紙の除去を行なう画像形成装置において、
前記ジャム解除カバーは、
引き出し奥側の端部に設けた支点を軸に水平面内で開放可能に設けられ、且つ装置本体に収容されて閉じられる直前に開放部先端近傍が装置本体に当接して定着部側に押し込まれ、閉止状態では開放側先端近傍で位置決めされることを特徴とする画像形成装置。
【請求項２】
定着部およびジャム解除カバーを装置本体から引き出し且つ収容可能に設けられ、引き出した状態で前記ジャム解除カバーを開いてジャム紙の除去を行なう画像形成装置において、
前記ジャム解除カバーは、
引き出し奥側の端部に設けた支点を軸に水平面内で開放可能に設けられ、且つ装置本体に収容されて閉じられる直前に開放部先端近傍に形成された押さえガイドリブが装置本体に当接して定着部側に押し込まれ、閉止状態では開放側先端近傍で位置決めピンと位置決め穴の係合により位置決めされることを特徴とする画像形成装置。
【請求項３】
装置本体から引き出し可能に設けられたフレーム上に前記定着部及びジャム解除カバーが設けられることを特徴とする請求項１又は２記載の画像形成装置。
【請求項４】
前記ジャム解除カバーには圧接ローラと第一搬送ガイド板が設けられ、前記定着部には搬送ローラと第二搬送ガイドが設けられていることを特徴とする請求項１又は２記載の画像形成装置。
【請求項５】
前記ジャム解除カバーと前記定着部の少なくとも一方に磁石を設け、磁石と対向する部分を磁性部材とし、磁力によって前記ジャム解除カバーの閉鎖状態が保持されることを特徴とする請求項１又は２記載の画像形成装置。
【請求項６】
前記定着部は、上フレームおよび下フレームの開放可能な２つのフレームによって構成され、
前記ジャム解除カバーの支点が、上フレームまたは下フレームのいずれか一方に設けられていることを特徴とする請求項１又は２記載の画像形成装置。
【請求項７】
前記ジャム解除カバーの材質が耐熱性樹脂であることを特徴とする請求項１又は２記載の画像形成装置。
【請求項８】
前記ジャム解除カバーには圧接ローラが設けられ、前記定着部には搬送ローラが設けられており、前記圧接ローラと搬送ローラにより用紙を挟み込み搬送することを特徴とする請求項１又は２記載の画像形成装置。
【請求項９】
前記ジャム解除カバーは定着部下流に設けられることを特徴とする請求項１又は２記載の画像形成装置。
【発明の詳細な説明】
【０００１】
【発明の属する技術分野】
本発明は、ジャム解除カバー（搬送ガイド板および圧接ローラ含む）を有する定着ユニットを備え、ジャム処理時に該定着ユニットを引き出して処理する画像形成装置に関するものである。
【０００２】
【従来の技術】
複写機やファクシミリ等の従来の画像形成装置では、紙づまりが生じた場合、定着ユニットを引き出してジャム処理する。以下、従来のジャム処理方法の手順について説明する。
まず、定着ユニット３０１を引き出す（図５（ａ）参照）。次に、ローラー回転ノブ３０２を回して、詰まっている紙３０３を送り出して取り除く（図５（ｂ）参照）。この操作で取り除けない場合、図６に示すように、圧接ローラ３１１が取り付けられた上搬送ガイド板３１２を、図６の矢印方向に開いて、詰まっている用紙を確認し、用紙を引っ張りながらローラー回転ノブを回して取り除く。上搬送ガイド板３１２の回転支点３１３は前定着フレームと後定着フレームとに設けられており、鉛直面内での回動によって開放される構造となっている。上搬送ガイド板３１２は、自重により、閉じる構造であるが、スプリング等の弾性部材を用いて、閉じる方向に付勢させてもよい。
【０００３】
【発明が解決しようとする課題】
このとき、上搬送ガイド板３１２を離すと元の位置に戻る構造（スプリング、自重でもどる）の場合は、ジャム処理中、上搬送ガイド板３１２を持ちつつローラー回転ノブ３０２を回し、また用紙も引っ張るという非常に困難な作業を強いられる。また開口が小さく、詰まっている紙を確認する際も覗きこまなくてはならない。これは、非常に作業性の悪いものであった。
【０００４】
また上搬送ガイド板３１２を回転させ、上搬送ガイド板３１２を離しても元の位置に戻らない構造（自重で元に戻らない位置まで回転させる）の場合は、ジャム処理後に上搬送ガイド板３１２を元の位置に戻すのを忘れることがあり、これにより再びジャムを引き起こすことがある。
【０００５】
本発明の目的は、定着部での紙詰まりジャムが発生した場合に、ジャム解除カバーを開いて用紙の除去を行なう際、ジャム処理の作業性を良くすると共に、ジャム解除カバーの閉め忘れによるジャムの再発生を防止する画像形成装置を提供することにある。
【０００６】
【課題を解決するための手段】
本発明は、定着部およびジャム解除カバーが装置本体から引き出し且つ収容可能に設けられ、引き出した状態で前記ジャム解除カバーを開いてジャム紙の除去を行なう画像形成装置において、前記ジャム解除カバーは、引き出し奥側の端部に設けた支点を軸に水平面内で開放可能に設けられ、且つ装置本体に収容されて閉じられる直前に開放部先端近傍が装置本体に当接して定着部側に押し込まれ、閉止状態では開放側先端近傍で位置決めされることを特徴とする。
また、本発明は、定着部およびジャム解除カバーを装置本体から引き出し且つ収容可能に設けられ、引き出した状態で前記ジャム解除カバーを開いてジャム紙の除去を行なう画像形成装置において、前記ジャム解除カバーは、引き出し奥側の端部に設けた支点を軸に水平面内で開放可能に設けられ、且つ装置本体に収容されて閉じられる直前に開放部先端近傍に形成された押さえガイドリブが装置本体に当接して定着部側に押し込まれ、閉止状態では開放側先端近傍で位置決めピンと位置決め穴の係合により位置決めされることを特徴とする。
【０００７】
本発明は、前記ジャム処理カバーには圧接ローラと上搬送ガイド板が設けられ、前記定着部本体には搬送ローラと下搬送ガイドが設けられていることを特徴とする。
【０００８】
本発明は、装置本体から引き出し可能に設けられたフレーム上に前記定着部及びジャム解除カバーが設けられることを特徴とする。
【０００９】
本発明は、前記ジャム処理カバーと前記定着部本体の少なくとも一方に磁石を設け、磁石と対向する部分を磁性部材とし、磁力によって前記ジャム処理カバーの閉鎖状態が保持されることを特徴とする。
【００１０】
本発明は、前記定着部本体が、上フレームおよび下フレームの開放可能な２つのフレームによって構成され、前記ジャム処理カバーの支点が、上フレームまたは下フレームのいずれか一方に設けられていることを特徴とする。
【００１１】
本発明は、前記ジャム処理カバーの材質が耐熱性樹脂であることを特徴とする。また、前記ジャム解除カバーには圧接ローラが設けられ、前記定着部には搬送ローラが設けられており、前記圧接ローラと搬送ローラにより用紙を挟み込み搬送することを特徴とする。さらに、前記ジャム解除カバーは定着部下流に設けられることを特徴とする。
【００１２】
【発明の実施の形態】
以下に、本発明の実施の形態について、図面を参照しながら説明する。
図１は、本発明に係る画像形成装置であるデジタルカラー複写機１の構成を示す正面断面の略図である。複写機本体１の上面には、原稿台１１１及び操作パネルが設けられ、複写機本体１の内部に画像読み取り部１１０および画像形成部２１０が設けられた構成である。
原稿台１１１の上面には、原稿台１１１に対して開閉可能な状態で支持され、原稿台１１１面に対して所定の位置関係をもって両面自動原稿送り装置（ＲＡＤＦ；Ｒｅｖｅｒｓｉｎｇ  Ａｕｔｏｍａｔｉｃ  Ｄｏｃｕｍｅｎｔ  Ｆｅｅｄｅｒ）１１２が装着されている。
【００１３】
さらに、両面自動原稿送り装置１１２は、まず、原稿の一方の面が原稿台１１１の所定位置において画像読み取り部１１０に対向するよう原稿を搬送し、この一方の面についての画像読み取りが終了した後に、他方の面が原稿台１１１の所定位置において画像読み取り部１１０に対向するよう原稿を反転して原稿台１１１に向かって搬送するようになっている。そして、両面自動原稿送り装置１１２は、１枚の原稿について両面の画像読み取りが終了した後にこの原稿を排出し、次の原稿についての両面搬送動作を実行する。
以上の原稿の搬送および表裏反転の動作は、複写機全体の動作に関連して制御されるものである。
【００１４】
画像読み取り部１１０は、両面自動原稿送り装置１１２により原稿台１１１上に搬送されてきた原稿の画像を読み取るために、原稿台１１１の下方に配置されている。画像読み取り部１１０は該原稿台１１１の下面に沿って平行に往復移動する原稿走査体１１３，１１４と、光学レンズ１１５と、光電変換素子であるＣＣＤラインセンサ１１６とを有している。
【００１５】
この原稿走査体１１３，１１４は、第１の走査ユニット１１３と第２の走査ユニット１１４とから構成されている。第１の走査ユニット１１４は原稿画像表面を露光する露光ランプと、原稿からの反射光像を所定の方向に向かって偏向する第１ミラーとを有し、原稿台１１１の下面に対して一定の距離を保ちながら所定の走査速度で平行に往復移動するものである。第２の走査ユニット１１４は、第１の走査ユニット１１３の第１ミラーにより偏向された原稿からの反射光像をさらに所定の方向に向かって偏向する第２および第３ミラーとを有し、第１の走査ユニット１１３と一定の速度関係を保って平行に往復移動するものである。
【００１６】
光学レンズ１１５は、第２の走査ユニットの第３ミラーにより偏向された原稿からの反射光像を縮小し、縮小された光像をＣＣＤラインセンサ１１６上の所定位置に結像させるものである。
ＣＣＤラインセンサ１１６は、結像された光像を順次光電変換して電気信号として出力するものである。ＣＣＤラインセンサ１１６は、白黒画像あるいはカラー画像を読み取り、Ｒ（赤）、Ｇ（緑）、Ｂ（青）の各色成分に色分解したラインデータを出力することのできる３ラインのカラーＣＣＤである。このＣＣＤラインセンサ１１６により電気信号に変換された原稿画像情報は、さらに、図示しない画像処理部に転送されて所定の画像データ処理が施される。
【００１７】
次に、画像形成部２１０の構成、および画像形成部２１０に係わる各部の構成について説明する。
画像形成部２１０の下方には、用紙トレイ内に積載収容されている用紙（記録媒体）Ｐを１枚ずつ分離して画像形成部２１０に向かって供給する給紙機構２１１が設けられている。そして１枚ずつ分離供給された用紙Ｐは、画像形成部２１０の手前に配置された一対のレジストローラ２１２によりタイミングが制御されて画像形成部２１０に搬送される。さらに、片面に画像が形成された用紙Ｐは、画像形成部２１０の画像形成にタイミングを合わせて画像形成部２１０に再供
給搬送される。
【００１８】
画像形成部２１０の下方には、転写搬送ベルト機構２１３が配置されている。転写搬送ベルト機構２１３は、駆動ローラ２１４と従動ローラ２１５との間に略平行に伸びるように張架された転写搬送ベルト２１６に用紙Ｐを静電吸着させて搬送する構成となっている。
さらに、用紙搬送路における転写搬送ベルト機構２１３の下流側には、用紙Ｐ上に転写形成されたトナー像を用紙Ｐ上に定着させるための定着装置２１７が配置されている。この定着装置２１７の一対の定着ローラ間のニップを通過した用紙Ｐは、搬送方向切り換えゲート２１８を経て、排出ローラ２１９により複写機本体１の外壁に取り付けられている排紙トレイ２２０上に排出される。
【００１９】
切り換えゲート２１８は、定着後の用紙Ｐの搬送経路を、複写機本体１へ用紙Ｐを排出する経路と、画像形成部２１０に向かって用紙Ｐを再供給する経路との間で選択的に切り換えるものである。切り換えゲート２１８により再び画像形成部２１０に向かって搬送方向が切り換えられた用紙Ｐは、スイッチバック搬送経路２２１を介して表裏反転された後、画像形成部２１０へと再度供給される。
また、画像形成部２１０における転写搬送ベルト２１６の上方には、転写搬送ベルト２１６に近接して、第１の画像形成ステーションＰａ、第２の画像形成ステーションＰｂ、第３の画像形成ステーションＰｃ、および第４の画像形成ステーションＰｄが、用紙搬送経路上流側から順に並設されている。
【００２０】
転写搬送ベルト２１６は駆動ローラ２１４によって、図１において矢印Ｚで示す方向に摩擦駆動され、前述したように給紙機構２１１を通じて給送される用紙Ｐを把持し、用紙Ｐを画像形成ステーションＰａ〜Ｐｄへと順次搬送する。
各画像ステーションＰａ〜Ｐｄは、実質的に同一の構成を有している。各画像ステーションＰａ，Ｐｂ，Ｐｃ，Ｐｄは、図１に示す矢印Ｆ方向に回転駆動される感光体ドラム２２２ａ，２２２ｂ，２２２ｃ，２２２ｄをそれぞれ含んでいる。
【００２１】
各感光体ドラム２２２ａ〜２２２ｄの周辺には、感光体ドラム２２２ａ〜２２２ｄをそれぞれ一様に帯電する帯電器２２３ａ，２２３ｂ，２２３ｃ，２２３ｄと、感光体ドラム２２２ａ〜２２２ｄ上に形成された静電潜像をそれぞれ現像する現像装置２２４ａ，２２４ｂ，２２４ｃ，２２４ｄと、現像された感光体ドラム２２２ａ〜２２２ｄ上のトナー像を用紙Ｐへ転写する転写用放電器２２５ａ，２２５ｂ，２２５ｃ，２２５ｄと、感光体ドラム２２２ａ〜２２２ｄ上に残留するトナーを除去するクリーニング装置２２６ａ，２２６ｂ，２２６ｃ，２２６ｄとが感光体ドラム２２２ａ〜２２２ｄの回転方向に沿って順次配置されている。
【００２２】
また、各感光体ドラム２２２ａ〜２２２ｄの上方には、レーザービームスキャナユニット（以下、ＬＳＵ）２２７ａ，２２７ｂ，２２７ｃ，２２７ｄがそれぞれ設けられている。ＬＳＵ２２７ａ〜２２７ｄは、画像データに応じて変調されたドット光を発する半導体レーザ素子（図示せず）、半導体レーザ素子からのレーザービームを主走査方向に偏向させるためのポリゴンミラー（備向装置）２４０と、ポリゴンミラー２４０により偏向されたレーザビームを感光体ドラム２
２２ａ〜２２２ｄ表面に結像させるためのｆβレンズやミラーなどから構成されている。
【００２３】
ＬＳＵ２２７ａにはカラー原稿画像の黒色成分像に対応する画素信号が、ＬＳＵ２２７ｂにはカラー原稿画像のシアン色成分像に対応する画素信号が、ＬＳＵ２２７ｃにはカラー原稿画像のマゼンタ色成分像に対応する画素信号が、そして、ＬＳＵ２２７ｄにはカラー原稿画像のイエロー色成分像に対応する画素信号がそれぞれ入力される。
【００２４】
これにより色変換された原稿画像情報に対応する静電潜像が各感光体ドラム２２２ａ〜２２２ｄ上に形成される。そして、現像装置２２４ａには黒色のトナーが、現像装置２２４ｂにはシアン色のトナーが、現像装置２２４ｃにはマゼンタ色のトナーが、現像装置２２４ｄにはイエロー色のトナーがそれぞれ収容されており、感光体ドラム２２２ａ〜２２２ｄ上の静電潜像は、これら各色のトナーにより現像される。これにより、画像形成部２１０にて色変換された原稿画像情報が各色のトナー像として再現される。
【００２５】
また、第１の画像形成ステーションＰａと給紙機構２１１との間には用紙吸着用（ブラシ）帯電器２２８が設けられており、この吸着用帯電器２２８は転写搬送ベルト２１６の表面を帯電させ、給紙機構２１１から供給された用紙Ｐは、転写搬送ベルト２１６上に確実に吸着させた状態で第１の画像形成ステーションＰａから第４の画像形成ステーションＰｄの間をずれることなく搬送させる。
一方、第４の画像ステーションＰｄと定着装置２１７との間で駆動ローラ２１４のほぼ真上部には除電器（図示せず）が設けられている。この除電器には搬送ベルト２１６に静電吸着されている用紙Ｐを転写搬送ベルト２１６から分離するための交流電流が印加されている。
【００２６】
上記構成のデジタルカラー複写機においては、用紙Ｐとしてカットシート状の紙が使用される。この用紙Ｐは、給紙カセットから送り出されて給紙機構２１１の給紙搬送経路のガイド内に供給されると、その用紙Ｐの先端部分がセンサー（図示せず）にて検知され、このセンサから出力される検知信号に基づいて一対のレジストローラ２１２により一旦停止される。
そして、用紙Ｐは各画像ステーションＰａ〜Ｐｄとタイミングをとって図１の矢印Ｚ方向に回転している転写搬送ベルト２１６上に送られる。このとき転写搬送ベルト２１６には前述したように吸着用帯電器２２８により所定の帯電が施されているので、用紙Ｐは、各画像ステーションＰａ〜Ｐｄを通過する間、安定して搬送供給される。
【００２７】
各画像ステーションＰａ〜Ｐｄにおいては、各色のトナー像が、それぞれ形成され、転写搬送ベルト２１６により静電吸着されて搬送される用紙Ｐの支持面上で重ね合わされる。第４の画像ステーションＰｄによる画像の転写が完了すると、用紙Ｐは、その先端部分から順次、陰電用放電器により転写搬送ベルト２１６上から剥離され、定着装置２１７へと導かれる。最後に、トナー画像が定着された用紙Ｐは、用紙排出口（図示せず）から排紙トレイ２２０上へと排出される。
【００２８】
次に、上記定着装置２１７の構成とジャム処理について説明する。図２は装置本体に収容された定着装置の断面図であり、図３は装置本体から引き出された定着装置の斜視図である。尚、定着装置２１７は、ジャム処理時には、画像形成装置本体からフロント側に引き出されて、ジャム処理が行なわれる。
【００２９】
図２に示すように、定着装置２１７は装置本体内に収容されて定着動作を行う。定着装置２１７は、転写搬送ベルト２１６上から剥離され導かれた用紙を上下のヒートローラ２０，２１で加熱し、用紙に形成されたトナー画像を定着させる。ヒートローラ２０，２１は、この用紙を上下の搬送ガイド板３，１６に搬送し、上搬送ガイド板３に設けた圧接ローラ４と、下搬送ガイド板１６に設けた定着搬送ローラ１７によって、排紙トレイに搬送される。
ここで、上ヒートローラ２０には、オイル塗布ローラ２３とクリーニングローラ２４が接している。圧接ローラー４は、バネ１８によって下方に付勢されており、用紙を定着搬送ローラー１７との間に挟み込むことができる。図３に示すように、定着搬送ローラ１７は、ローラ回転ノブ１９により、手動で回転可能である。
【００３０】
定着装置２１７は、図２及び図３に示すように、定着装置本体をなす上フレーム１０および下フレーム１１を備え、上フレーム１０には上ヒートローラ２０とオイル塗布ローラ２３とクリーニングローラ２４が固定されており、下フレーム１１には下ヒートローラ２１と下搬送ガイド板１６と定着搬送ローラ１７とが固定されている。
上フレーム１０は、回転支軸１２を中心に図３の矢印Ａ方向（鉛直方向）に回動自在であり、内部を開放可能に構成されている。上下ヒートローラ２０，２１を取り付けた軸を、上下フレーム１０，１１に設けられた凹部に、押え板バネ２２により固定する。ヒートローラ２０，２１の交換等の作業時においては、定着装置２１７を装置本体フレーム１５から引き出し（図３のＢ方向）、上下フレーム１０，１１を開放分離できるので、交換作業が容易に短時間で行なえる。
【００３１】
また、定着装置２１７の本体部分には、上搬送ガイド板３、圧接ローラ４及びバネ１８を取り付けたジャム解除カバー２が図３の矢印Ｃ方向に回動自在に取り付けられている。すなわち、ジャム解除カバー２は、定着装置の上フレーム１０の引き出し方向と反対側の奥側（リア側）端部に設けられた（回転）支点５を軸として、上フレーム１０の側面に、外側に開くように回動可能に取り付けられている。
この支点について詳しく説明する。支点５は、図４に示すように、上フレームに上支点５ａと下支点５ｂから構成され、ジャム解除カバー２は、この上下支点を結ぶ軸を中心に回動する。下支点５ｂは上フレーム１０に形成された穴にジャム解除カバー２の下側突起を挿入して回動自在にした部分である。上支点５ａは、上フレーム１０にビスで固定された支点板１４の穴にジャム解除カバー２の上側突起をに挿入して回動自在にした部分である。
これにより、上記ジャム処理カバー２は、定着装置２１７の引き出し手前側（フロント側）から水平面内での回動によって開放される（図３参照）。また、上記ジャム解除カバー２は、閉じられている状態においては、位置決めピン６と位置決め穴７との係合によって位置決めされる。
【００３２】
上記ジャム処理カバー２をこのような開放機構とした場合、装置前方に大きな開口部ができるため、ジャム処理時において、ユーザが紙詰まりを起こした用紙を視認しやすく、また、これを取り除く作業も容易となる。さらに、上記ジャム処理カバー２は水平面内での回動によって開放されているため、ユーザが上記ジャム処理カバー２を保持しなくても、該カバー２が自重によって閉じるということがなく、ユーザのジャム処理動作が容易である。
【００３３】
また、定着装置２１７のジャム処理カバー２は、引き出し奥側に設けた支点５によって、引き出し手前側（フロント側）が外側に開く構造であり、かつ、定着装置２１７が収容されるときはジャム処理カバー２が画像形成装置の本体フレーム１５と近接して配置される。このため、上記定着装置２１７を画像形成装置本体フレーム１５から引き出してジャム処理を行なった後、定着装置２１７を装置本体に収容して元の位置に戻す時には、ジャム処理カバー２を開放したままの状態であっても、ジャム処理カバー２と画像形成装置の本体フレーム１５とが当接して、ジャム処理カバー２を閉じる方向に回動する。こうして、定着装置２１７を装置本体に収容するときは、本体フレーム１５がガイド部材として作用してジャム処理カバー２が閉じられるので、カバー２の閉め忘れによる不具合が生じない。
【００３４】
また、ジャム処理カバー２が閉じられた状態にあるとき、該ジャム処理カバー２が勝手に開くことのないように保持される必要がある。このような保持機構を、例えば、ジャム処理カバー２側と定着装置本体側（フレーム側）とに設けられる係合部材等で得ようとする場合、上記ジャム処理カバー２は、完全に閉じられる直前に、ある程度の力によって定着装置２１７側に押し込まれる必要がある。これを実現するためには、ジャム処理カバー２の本体フレーム１５との当接側において開放側先端付近に押えガイドリブ８を形成すればよい。この押えガイドリブ８が画像形成装置の本体フレーム１５と当接することによって、ジャム処理カバー２が確実に閉じられる。
【００３５】
また、上記構成以外に、ジャム処理カバー２と定着装置２１７のフレーム１０，１１の少なくとも一方に磁石９を設け（磁石と対向する部分は磁性部材とする）、磁力によってジャム処理カバー２の閉鎖状態が保持される構成とすると以下の利点がある。すなわち、この構成では、ジャム処理カバー２と画像形成装置の本体フレーム１５とが当接してジャム処理カバー２が閉じられる場合に、上記当接によってジャム処理カバー２がある程度まで閉じられれば、最後はジャム処理カバー２と定着装置２１７との間に作用する磁力によってジャム処理カバー２が確実に閉じられる。
【００３６】
本実施形態においては、定着装置２１７のジャム処理カバー２の支点は、上フレーム１０に設けられたが、下フレーム１１に設けてもよい。
【００３７】
また、上記ジャム処理カバー２は、その材質を耐熱性樹脂（例えば、ＰＰＥ：ポリフェニレンエーテル）（商品名ザイロン（旭化成））とすることで、該ジャム処理カバー２に放熱防止効果を兼ね備えることができる。これにより、定着装置２１７における無駄な放熱がなくなり蓄熱特性が高くなるため、エネルギー効率がよくなる。またジャム処理を行う際、直接カバー部をさわっても危険ではない。
【００３８】
【発明の効果】
本発明によれば、ジャム処理を行う際、ジャム処理カバーが定着部本体の引き出し奥側の端部に設けた支点を軸に大きく開放できると共に、ジャム処理カバーは水平面内で回動するため自重等で勝手に閉じることがなく、ユーザのジャム処理作業が行ないやすくなる。また、ジャム処理カバーは装置本体と近接して収容されるため、ジャム処理後、ジャム処理カバーを閉めずに定着部を装置本体に挿入しても、装置本体と当接することによって該カバーは自動的に閉まる。これにより、ジャム処理カバーの閉め忘れによるジャムの再発生が防止できる。
【００３９】
本発明によれば、ジャム処理を行う際、ジャム処理カバーを開くことにより圧接ローラと上搬送ガイド板が同時に移動し、定着部本体の搬送ローラと下搬送ガイドと分離するので、ジャム紙が視認しやすくなり、ジャム処理作業がしやすくなる。
【００４０】
本発明によれば、装置本体に収容されて閉じられる直前に開放部先端近傍に形成された押さえガイドリブが装置本体に当接して定着部側に押し込まれ、閉止状態では開放側先端近傍で位置決めピンと位置決め穴の係合により位置決めされるので、ジャム処理後、カバーを閉めずに定着部を装置本体に挿入する際、上記ジャム処理カバーは装置本体と押さえガイドリブとの当接によって、定着部側に確実に押し込まれ、ジャム処理カバーは確実に閉まるので再びジャム等のトラブルは起こらない。
【００４１】
本発明によれば、ジャム解除カバーと前記定着部の少なくとも一方に磁石を設け、磁石と対向する部分を磁性部材とし、磁力によって前記ジャム解除カバーの閉鎖状態が保持されるので、ジャム処理カバーと装置本体とが当接してジャム処理カバーが閉じられる場合に、上記当接によってジャム処理カバーがある程度まで閉じられれば、最後はジャム処理カバーと定着部との間に作用する磁力によってジャム処理カバーが確実に閉じられる。
【００４２】
本発明によれば、ジャム解除カバーの支点が、上フレームまたは下フレームのいずれか一方に設けられているので、ローラー交換等の作業時においてジャム処理カバーをはずすことなく上下の定着フレームを分離でき、交換作業が短時間でできる。
【００４３】
本発明によれば、ジャム解除カバーの材質が耐熱性樹脂であるので、無駄な放熱がなくなり蓄熱特性が高くなり、エネルギー効率がよくなる。またジャム処理を行う際、直接カバー部をさわっても危険ではない。
【図面の簡単な説明】
【図１】本発明に係る画像形成装置であるデジタルカラー複写機１の構成を示す正面断面である。
【図２】定着装置の構成を示す断面図である。
【図３】定着装置の構成とジャム処理動作を示す斜視図である。
【図４】ジャム処理カバーの支点部分を示す斜視図である。
【図５】従来の画像形成装置における定着装置のジャム処理を示す説明図である。
【図６】従来の定着装置の構成を示す断面図である。
【符号の説明】
２  ジャム処理カバー
３  上搬送ガイド板
４  圧接ローラ
５  支点
８  ガイドリブ
１０  上フレーム
１１    下フレーム
１２    回転支軸
１５    本体フレーム
１６    下搬送ガイド板
１７    定着搬送ローラ
【図１】
0003578936.tif 000002
【図２】
0003578936.tif 000003
【図３】
0003578936.tif 000004
【図４】
0003578936.tif 000005
【図５】
0003578936.tif 000006
【図６】
0003578936.tif 000007